(57)【要約】【課題】信号線の絶縁劣化の判定に影響する外部からのノイズの有無を判定できるようにする。【解決手段】制御部１０１は、信号線を通る信号を予め定められた周期でサンプリングして信号の電流値を測定して記録する。ＧＯＴ１０４は、信号の電流値の測定結果のグラフを表示する。検知部１００２は、記録した電流値の変化から信号線に生じたサージ電流や信号線に重畳した外部からのノイズを検知し、検知結果をＧＯＴ１０４で表示する。【選択図】図１
2020052963.tif 000002
【特許請求の範囲】
【請求項１】
信号線に流れる電流値をサンプリングして測定する測定手段と、
前記測定手段の測定結果を記録する記録手段と、
前記記録手段に記録された測定結果をグラフで表示する表示手段と
を備える防災システム。
【請求項２】
前記記録手段に記録された測定結果に基づいて、前記信号線に対する外部からのノイズを検知する検知手段
を備える請求項１に記載の防災システム。
【請求項３】
前記サンプリングの周期が１秒未満である
請求項１または請求項２に記載の防災システム。
【発明の詳細な説明】
【技術分野】
【０００１】
本発明は、防災システムに関する。
【背景技術】
【０００２】
防災受信盤と端末機器で構成されるトンネル防災システムにおいては、手動通報装置、消火栓起動装置、ダクト温度検知器等の端末機器は、防災受信盤に信号回線で接続される。この信号回線がどのような状態にあるかを調べる発明として、例えば特許文献１に開示されたトンネル防災システムがある。このトンネル防災システムは、複数の信号回線から一の信号回線を順次選択し、選択した信号回線を制御部のＡＤ変換ポートに接続する。制御部は、接続された信号回線からＡＤ変換ポートに入力される信号をサンプリングすることにより、信号回線に流れる電流を測定して記録する。測定結果は、例えば、特許文献２に開示されているトンネル防災システムのように、防災受信盤が備えるメインモニタ装置やサブモニタ装置で表示することにより、ユーザが信号回線の絶縁の劣化等、信号回線がどのような状態にあるのかを把握することができる。
【先行技術文献】
【特許文献】
【０００３】
【特許文献１】特開２０１７−３４４８９号公報
【特許文献２】特開２０１８−４５５４１号公報
【発明の概要】
【発明が解決しようとする課題】
【０００４】
信号回線に対しては、例えば、誘導ノイズや電波ノイズ、雷サージなどの外部からのノイズが影響することがある。外部からのノイズが影響した信号回線を測定すると、絶縁の低下が生じていなくても測定結果が異常な値を示すことがあり、信号回線の状態を正確に把握できないこととなる。
【０００５】
本発明は、信号線の絶縁劣化の判定に影響する外部からのノイズの有無を判定できるようにすることを目的とする。
【課題を解決するための手段】
【０００６】
（１）本発明に係る防災システムは、信号線に流れる電流値をサンプリングして測定する測定手段と、前記測定手段の測定結果を記録する記録手段と、前記記録手段に記録された測定結果をグラフで表示する表示手段とを備える。
【０００７】
（２）本発明に係る防災システムは、（１）に記載の構成において、前記記録手段に記録された測定結果に基づいて、前記信号線に対する外部からのノイズを検知する検知手段を備えることを特徴とする。
【０００８】
（３）また、本発明に係る防災システムは、（１）または（２）の構成において、前記サンプリングの周期が１秒未満であることを特徴とする。
【発明の効果】
【０００９】
上記の（１）の構成によれば、信号線の絶縁劣化の判定に影響する外部からのノイズの有無を判定することができる。
上記の（２）の構成によれば、信号線の絶縁劣化の判定に影響する外部からのノイズを検知することができる。
上記の（３）の構成によれば、信号線の絶縁劣化の判定に影響する外部からのノイズの有無を判定することができる。
【図面の簡単な説明】
【００１０】
【図１】本発明に係る防災システム１の構成を説明する図。
【図２】伝送部１０２の構成を示したブロック図。
【図３】測定回路２０２ａ、測定回路２０２ｃ、測定回路２０２ｄの詳細を示した図。
【図４】ＧＯＴ１０４が表示するＧＵＩ画面の一例を示した図。
【図５】ＧＯＴ１０４が表示するＧＵＩ画面の一例を示した図。
【発明を実施するための形態】
【００１１】
［実施形態］
（全体構成）
図１は、防災システム１の概要を示した図である。防災システム１は、トンネル内で発生する火災の拡大を防ぐためのシステムである。図１においては、自動車専用道路で上り線のトンネル２ａと下り線のトンネル２ｂを有するトンネルに係る防災システム１の概要を示している。
【００１２】
トンネル２ａとトンネル２ｂの壁面には、トンネルの延伸方向に沿って予め定められた間隔で火災検知器３２が設置されている。火災検知器３２は、トンネルの上流側と下流側を監視して火災による炎を検知する。火災による炎が火災検知器３２により検知されると、火災信号が流れる。
【００１３】
トンネル２ａとトンネル２ｂには、トンネルの延伸方向に沿って換気や排気のためのダクトが設けられており、ダクト内においては、予め定められた間隔で温度検知器３１が設置されている。温度検知器３１は、接点手段として機能するスイッチを備えており、火災によりダクト内の温度が上昇すると、このスイッチがオンとなり、温度検知信号が流れる。
【００１４】
また、トンネル２ａとトンネル２ｂの監視員通路の壁面には、監視員通路の延伸方向に沿って、予め定められた間隔で消火栓装置３３と手動通報装置３４が設置されている。
【００１５】
消火栓装置３３は、初期消火用の放水設備であり、ノズル付きホースが接続された消火栓と消火器を扉内に収納している。火災時には消火栓扉を開いてノズル付きホースを引き出し、消火栓弁開閉レバーを開操作すると、消火栓へ給水を行うための消火栓起動スイッチがオンとなり、起動信号が流れる。起動信号が流れると、消火栓に給水を行う消火ポンプが起動し、ホースのノズルから消火用水が放水される。
【００１６】
また、消火栓装置３３には、消防隊が使用する給水栓と、給水栓へ給水を行う消火ポンプを起動する給水栓起動スイッチが設けられている。消防隊の操作により給水栓起動スイッチがオンとなると、起動信号が流れる。起動信号が流れると、消火ポンプが起動し、給水栓へ給水が行われる。なお、給水栓は必須の構成ではないため、消火栓装置３３は、給水栓を備えていない構成であってもよい。
【００１７】
なお、消火栓起動スイッチと給水栓起動スイッチは、共に同じ消火ポンプを起動させるための起動信号を出力するスイッチであることから、以下、消火栓起動スイッチおよび給水栓起動スイッチを起動スイッチと称する場合がある。
【００１８】
手動通報装置３４は、火災を知らせるための装置であり、押しボタンが操作されてスイッチがオンとなると、火災通報信号が流れる。なお、押しボタン式である手動通報装置は、トンネル２ａとトンネル２ｂの壁面に設けられた非常電話機にも設置されている。
【００１９】
手動通報装置３４、消火栓装置３３および温度検知器３１は、本発明に係る端末機器の一例である。
【００２０】
防災受信盤１０は、トンネル内の異常を検知する機能を有し、火災の発生を報知し、他の設備と連動してトンネル内の火災の拡大を防ぐ設備である。防災受信盤１０は、トンネルの通信機械室に設置されている。防災受信盤１０は、Ｐ型のシステムであり、温度検知器３１に接続されている信号線１１ａ、火災検知器３２に接続されている信号線１１ｂ、手動通報装置３４に接続されている信号線１１ｄ、および起動スイッチに接続されている信号線１１ｃが接続されている。
【００２１】
温度検知器３１に接続する信号線１１ａは、トンネル内を分割した複数の区画毎に設けられており、複数の信号線１１ａの各々は、対応する区画に設置されている温度検知器３１に接続されている。火災検知器３２に接続する信号線１１ｂは、トンネル内を分割した複数の区画毎に設けられており、複数の信号線１１ｂの各々は、対応する区画に設置されている火災検知器３２に接続されている。手動通報装置３４に接続する信号線１１ｄは、トンネル内を分割した複数の区画毎に設けられており、複数の信号線１１ｄの各々は、対応する区画に設置されている手動通報装置３４に接続されている。起動スイッチに接続する信号線１１ｃは、トンネル内を分割した複数の区画毎に設けられており、複数の信号線１１ｃの各々は、対応する区画に設置されている起動スイッチに接続されている。
【００２２】
また、防災システム１は、消火ポンプの制御と、ダクトを冷却するダクト冷却ポンプの制御を行うポンプ制御盤２１を備える。
【００２３】
（防災受信盤１０の構成）
防災受信盤１０は、制御部１０１、伝送部１０２、通信部１０３、ＧＯＴ１０４、操作部１０５、警報部１０６、ポンプ制御部１０７、表示部１０８、および記憶部１０９を備える。
【００２４】
制御部１０１は、所謂ＰＬＣ（Programmable Logic Controller）であり、ＣＰＵおよびメモリを有するＣＰＵユニット、電源ユニット、ＡＤ変換機能を有する入力ポートを含む各種の入力ポートおよび出力ポートを備えた入出力ユニットを備える。
【００２５】
伝送部１０２は、信号線１１ａ、信号線１１ｂ、信号線１１ｃおよび信号線１１ｄに接続されている。伝送部１０２は、温度検知信号、火災信号、起動信号、および火災通報信号を制御部１０１へ供給する。
【００２６】
ＧＯＴ（Graphic Operation Terminal）１０４は、タッチパネルを備えた入出力装置である。ＧＯＴ１０４は、制御部１０１と協働して各種のＧＵＩ画面を表示し、ＧＵＩ画面に対して行われた操作を受け付ける。ＧＯＴ１０４は、信号線１１ａ、信号線１１ｃおよび信号線１１ｄを流れる電流の測定結果の表示や、電流の測定に係る設定画面の表示などを行う。また、ＧＯＴ１０４は、ＵＳＢ端子を備えており、ＵＳＢ端子に接続されたＵＳＢメモリに対して各種データを出力する。
【００２７】
通信部１０３は、通信ネットワーク３を介して外部の上位設備である遠隔制御設備３０と通信を行うための通信インターフェースとして機能する。操作部１０５は、防災受信盤１０を操作するための各種スイッチやボタンを有する。警報部１０６は、スピーカ、主音響装置、警報表示灯を有し、火災発生時に警報を発する。ポンプ制御部１０７は、ポンプ制御盤２１を制御し、消火ポンプやダクト冷却ポンプの制御を行う。表示部１０８は、液晶ディスプレイ装置を有し、火災の発生の警報表示や、信号線１１ａ、信号線１１ｃおよび信号線１１ｄを流れる電流の異常表示などを行う。記憶部１０９は、例えば、メモリカードなどの不揮発性メモリであり、伝送部１０２に接続されている信号線に流れる電流の測定結果を記憶する。記憶部１０９は、本発明に係る記録手段の一例である。なお、制御部１０１は、ＰＬＣに限定されるものではなく、ＣＰＵ、メモリ、入出力ユニットを備えたマイクロコンピュータまたはパーソナルコンピュータであってもよい。また、本実施形態においては、表示部１０８と操作部１０５とが、防災受信盤１０の筐体の盤面に配置されてメイン表示操作部を構成し、ＧＯＴ１０４が、筐体の扉の内側に配置されてサブ表示操作部を構成し、別々の構成となっているが、一体の構成であってもよい。
【００２８】
（伝送部１０２の構成）
図２は、伝送部１０２の構成を示したブロック図である。トンネル内を分割した複数の区画５の各々には、区画５に配置されている温度検知器３１、消火栓装置３３、手動通報装置３４が含まれる。伝送部１０２は、トンネル内を分割した複数の区画５毎に入出力ユニット２００を備えている。
【００２９】
入出力ユニット２００は、信号受信部２０１ａ、信号受信部２０１ｃおよび信号受信部２０１ｄを有する。信号受信部２０１ａは、対応する区画５に含まれる温度検知器３１に信号線１１ａで接続されている。信号受信部２０１ｃは、対応する区画５に含まれる消火栓装置３３に信号線１１ｃで接続されている。信号受信部２０１ｄは、対応する区画５に含まれる手動通報装置３４に信号線１１ｄで接続されている。
【００３０】
また、入出力ユニット２００は、測定回路２０２ａ、測定回路２０２ｃおよび測定回路２０２ｄを有する。測定回路２０２ａは、信号線１１ａに流れる電流を測定するための回路である。測定回路２０２ｃは、信号線１１ｃに流れる電流を測定するための回路である。測定回路２０２ｄは、信号線１１ｄに流れる電流を測定するための回路である。
【００３１】
図３は、測定回路２０２ａ、測定回路２０２ｃおよび測定回路２０２ｄの詳細を示した図である。信号線１１ａ、信号線１１ｃおよび信号線１１ｄは、具体的には、信号ラインＬとコモンラインＣで構成されている。信号ラインＬは抵抗Ｒ２を介して電源電圧Ｖｃに接続されてプルアップされて直流信号が流れており、コモンラインＣはグランドに接続されている。
【００３２】
信号ラインＬとコモンラインＣからなる信号線１１ａには、温度検知器３１に設けられているスイッチＳＷａおよび終端抵抗Ｒ１が並列に接続されており、通常状態でスイッチＳＷａは図示したようにオフとなっている。
【００３３】
信号ラインＬとコモンラインＣからなる信号線１１ｃには、消火栓装置３３に設けられている起動スイッチＳＷｃおよび終端抵抗Ｒ１が並列に接続されており、通常状態で起動スイッチＳＷｃは図示したようにオフとなっている。
【００３４】
信号ラインＬとコモンラインＣからなる信号線１１ｄには、手動通報装置３４に設けられているスイッチＳＷｄおよび終端抵抗Ｒ１が並列に接続されており、通常状態でスイッチＳＷｄは図示したようにオフとなっている。
【００３５】
スイッチＳＷａがオフしている通常状態では、信号ラインＬとコモンラインＣの間の電圧は電源電圧Ｖｃとなっており、この電圧が信号受信部２０１ａに入力されている。スイッチＳＷａのいずれかが温度上昇によりオンとなると、信号ラインＬとコモンラインＣの間の電圧が低下する。信号受信部２０１ａは、信号ラインＬとコモンラインＣの間の電圧が予め定められた電圧より低下した場合、温度検知信号を制御部１０１へ出力する。
【００３６】
また、起動スイッチがオフしている通常状態では、信号ラインＬとコモンラインＣの間の電圧は電源電圧Ｖｃとなっており、この電圧が信号受信部２０１ｃに入力されている。起動スイッチＳＷｃのいずれかがオンとなると、信号ラインＬとコモンラインＣの間の電圧が低下する。信号受信部２０１ｃは、信号ラインＬとコモンラインＣの間の電圧が予め定められた電圧より低下した場合、起動信号を制御部１０１へ出力する。
【００３７】
スイッチＳＷｄがオフしている通常状態では、信号ラインＬとコモンラインＣの間の電圧は電源電圧Ｖｃとなっており、この電圧が信号受信部２０１ｄに入力されている。押しボタンが操作されてスイッチＳＷｄのいずれかがオンとなると、信号ラインＬとコモンラインＣの間の電圧が低下する。信号受信部２０１ｄは、信号ラインＬとコモンラインＣの間の電圧が予め定められた電圧より低下した場合、火災通報信号を制御部１０１へ出力する。
【００３８】
測定回路２０２ａ、測定回路２０２ｃおよび測定回路２０２ｄは、信号ラインＬとコモンラインＣとの間の電圧を検出するための回路であり、信号ラインＬに接続する信号ラインＬａを有する。なお、測定回路２０２ａ、測定回路２０２ｃおよび測定回路２０２ｄは、図示した回路に限定されるものではなく、信号ラインＬにおいて信号ラインＬａが接続されている点とコモンラインＣとの間の電圧を信号ラインＬに流れる電流の増加に応じて変化させる回路であればよい。
【００３９】
選択部２１０は、接続される複数の信号ラインＬａ毎にリレー回路を備えている。選択部２１０においては、制御部１０１からの制御信号によりリレー回路が動作し、複数の信号ラインＬａのうちの一つがリレー回路により制御部１０１のＡＤ変換ポートに接続される。
【００４０】
（制御部１０１の構成）
制御部１０１においては、ＣＰＵがプログラムを実行することにより、本発明に係る電流測定部１００１、検知部１００２、監視部１００４、ＧＵＩ部１００５を実現する。
【００４１】
監視部１００４は、伝送部１０２から供給される信号に応じて各部を制御する。監視部１００４は、例えば、手動通報装置３４の操作による火災通報信号を受信した場合、警報部１０６を制御して主音響装置を鳴動させ、表示部１０８を制御して火災表示と手動通報区画表示を行う。また、監視部１００４は、火災通報信号を受信した場合、ポンプ制御部１０７でポンプ制御盤２１を制御して消火ポンプを起動する。
【００４２】
また、監視部１００４は、ダクト内温度が上昇したことにより温度検知信号を受信した場合、ポンプ制御部１０７でポンプ制御盤２１を制御して冷却ポンプを起動し、ダクト内に設置されているヘッドから散水してダクト内を冷却する制御を行う。
【００４３】
電流測定部１００１は、信号線１１ａ、信号線１１ｃおよび信号線１１ｄに流れる電流の電流値を測定し、測定結果を記憶部１０９に記録する。具体的には、電流測定部１００１は、信号ラインＬａとグランド間の電圧ＶａをＡＤ変換ポートで測定することにより、信号ラインＬに流れる電流の電流値Ｉを、例えば、Ｉ＝（Ｖｃ−Ｖａ）／Ｒ２の式で算出する。電流測定部１００１は、本発明に係る測定手段の一例である。
【００４４】
電流測定部１００１は、一日の予め定められた時刻になると、選択部２１０を制御し、選択部２１０に接続されている信号ラインＬａを順次ＡＤ変換ポートへ接続する。電流測定部１００１は、接続された信号ラインＬａ毎に電圧を測定し、接続された信号ラインＬａに流れる電流の電流値Ｉを、測定した電圧から算出し、算出した電流値を記憶部１０９に記録する。
【００４５】
また、電流測定部１００１は、全ての信号ラインＬに流れる電流の測定を指示する操作がＧＯＴ１０４において行われた場合には、選択部２１０を制御して信号ラインＬａを順次ＡＤ変換ポートへ接続する。電流測定部１００１は、接続された信号ラインＬａ毎に電圧を測定し、接続された信号ラインＬａに流れる電流の電流値を測定した電圧から算出し、算出した電流値を記憶部１０９に記録する。
【００４６】
また、電流測定部１００１は、電流値を測定する信号ラインＬがＧＯＴ１０４において選択され、選択された信号ラインＬに流れる電流の測定を指示する操作がＧＯＴ１０４において行われた場合には、選択された信号ラインＬに接続されている信号ラインＬａをＡＤ変換ポートに接続する。電流測定部１００１は、接続された信号ラインＬａの電圧を測定し、接続された信号ラインＬａに流れる電流の電流値を測定した電圧から算出し、算出した電流値を記憶部１０９に記録する。
【００４７】
電流測定部１００１は、電圧Ｖａの測定の際には、選択部２１０を制御した後、信号ラインＬａとグランド間の電圧Ｖａのサンプリングを予め設定された時間が経過した後で開始する。電流測定部１００１は、電圧Ｖａのサンプリングを開始してから予め定められた時間が経過するとサンプリングを終了する。サンプリングの周期は、予め設定されて記憶部１０９に記憶されており、電流測定部１００１は、記憶部１０９に記憶されている周期でサンプリングを行う。サンプリングの周期は、例えば、１秒未満の周期が設定される。また、サンプリングを行う時間も予め設定されて記憶部１０９に記憶されており、電流測定部１００１は、記憶部１０９に記憶されている時間の間、サンプリングを行う。サンプリングを行う時間は、秒単位で設定される。サンプリングの周期とサンプリングを行う時間は、ユーザにより変更が可能であり、ＧＯＴ１０４を操作することにより変更することができる。
【００４８】
電流測定部１００１は、サンプリング毎に得た電圧Ｖａ毎に電流値Ｉを算出し、算出した電流値Ｉと、算出した電流値Ｉの平均値を記憶部１０９に記録する。電流測定部１００１は、本発明に係る記録手段の一例でもある。
【００４９】
信号ラインＬに流れる電流が増加すると、信号ラインＬとコモンラインＣとの間の電圧Ｖａが流れる電流の増加に比例して増加する。例えば、信号線１１ａの絶縁が劣化すると、絶縁抵抗が低下し、信号線１１ａを流れる電流が増加するため、信号ラインＬとコモンラインＣとの間の電圧Ｖａが増加する。電圧Ｖａが変化すると、前述の式で得られる電流値Ｉが変化するため、電流測定部１００１が信号ラインＬに流れる電流を測定し、記憶部１０９に記憶された電流値Ｉの変化を監視することにより、信号線の絶縁低下を判定することができる。
【００５０】
検知部１００２は、記憶部１０９に記録された電流値Ｉを解析し、信号線の絶縁低下や信号線の信号に外部から重畳したノイズや雷サージを検知する。検知部１００２は、本発明に係る検知手段の一例である。
【００５１】
ＧＵＩ部１００５は、ＧＯＴ１０４に対して行われた操作や操作部１０５で行われた操作に応じてＧＯＴ１０４で各種画面を表示する。例えば、ＧＵＩ部１００５は、測定した電流値の測定結果を表示する操作が行われた場合、記憶部１０９に記憶されている測定結果を、ＧＯＴ１０４で表示する。ＧＯＴ１０４で測定結果を表示する際は、測定結果を値で表示することや、サンプリングによる経時的な電流値の変化をグラフで表示することができる。ＧＵＩ部１００５は、本発明に係る表示手段の一例である。
【００５２】
（実施形態の動作例）
次に、電流測定部１００１が測定を行い、信号線１１ａ、信号線１１ｃおよび信号線１１ｄに対する外部からのノイズを検知するときの動作例について説明する。
【００５３】
図４は、信号線１１ａ、信号線１１ｃおよび信号線１１ｄに流れる電流の測定を行うときにＧＯＴ１０４が表示するＧＵＩ画面（自動測定画面）の一例である。例えば、信号線１１ａ、信号線１１ｃおよび信号線１１ｄを点検する利用者により図４に示したボタンＢ３を押す操作が行われると、電流測定部１００１は、選択部２１０を制御して信号ラインＬａを順次ＡＤ変換ポートへ接続する。電流測定部１００１は、接続された信号ラインＬａ毎に電圧を測定し、接続された信号ラインＬａに流れる電流の電流値を測定した電圧から算出し、算出した電流値と電流値の平均値を記憶部１０９に記録する。電流測定部１００１は、一の信号ラインＬａについて、流れる電流値の測定を終える毎にＧＵＩ画面を更新して平均値を表示する。例えば、電流測定部１００１は、信号ラインＬａの識別のために信号ラインＬａの各々に付与されている回線番号が００３の信号ラインＬａについて測定が終了すると、算出した電流値の平均値を「Ｎｏ．」の列の「００３」の行に表示する。なお、図４の画面例では、各回線番号に対応して、電流値を異常と判断するしきい値下限、電流値を異常と判断するしきい値上限、および電流値の測定値が表示されている。
【００５４】
検知部１００２は、算出した電流値の最小値と最大値の差が予め定められたしきい値未満であり、算出した平均値がしきい値上限以上またはしきい値下限以下であると判定した場合、信号線の電流値異常と判定し、信号線の絶縁低下を検知する。ＧＵＩ部１００５は、検知部１００２が信号線の絶縁低下を検知すると、絶縁低下が検知された回線番号の測定値の欄をハイライト表示する。なお、電流値異常と判定する条件として、算出した電流値の最小値と最大値の差が予め定められたしきい値未満であるとの条件は、必須としなくてもよい。
【００５５】
ところで、電流値の測定結果は、信号線の絶縁が低下していなくとも、サンプリングを行っているときに雷サージ、誘導ノイズ、電波ノイズなどが信号線の信号に重畳した場合、異常な値となる場合がある。ユーザは、電流測定部１００１の各サンプリングの測定結果を確認することにより、雷サージ、誘導ノイズ、電波ノイズの発生を判定することができる。
【００５６】
本実施形態においては、電流測定部１００１がサンプリングして得た測定結果は、グラフにしてＧＯＴ１０４に表示することができる。例えば、図４の画面において信号回線の「Ｎｏ．」の列のいずれかの行を選択した後、図４に示したグラフ表示のボタンＢ１をユーザが操作すると、ＧＯＴ１０４は、選択された回線番号の電流値の測定結果のグラフを表示する。
【００５７】
図５は、ボタンＢ１を操作することによりＧＯＴ１０４に表示される画面の一例を示した図である。図５に示したように、電流値が急激に変化したあとに減少して収束した場合、ユーザは、信号線にサージ電流が発生したことをグラフの波形から判定することができる。また、図示していないが、ユーザは、グラフにおいて電流が変化している状態が継続している場合には、誘導ノイズや電波ノイズが発生したことをグラフの波形から判定することができる。
【００５８】
本実施形態によれば、電流の測定結果の経時的な変化をグラフで表示するため、ユーザが電流値の変化をグラフで見て信号線に対する外部からのノイズの有無を判定することができる。
【００５９】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００６０】
本発明においては、検知部１００２は、サンプリングによる測定結果を解析することにより、ノイズの重畳や雷サージを検知してもよい。例えば、電流測定部１００１がサンプリングを行っている期間中において、誘導ノイズや電波ノイズが信号線の信号に重畳した場合、サンプリングした電流値が変動し、変動の期間が継続する。検知部１００２は、算出した電流値が予め定められた範囲外である期間が、予め定められた時間を超えている場合、信号線に誘導ノイズまたは電波ノイズが重畳していると判定し、信号線へのノイズの重畳を検知する。ＧＵＩ部１００５は、検知部１００２が、信号線へのノイズの重畳を検知すると、測定値の欄の背景を、予め定められた色に変更してもよい。
【００６１】
また、電流測定部１００１がサンプリングを行っている期間中において、信号線にサージ電流が発生した場合、サンプリングした電流値が急激に変動する。検知部１００２は、電流値の経時的な測定結果において、算出した電流値が予め定められた値を超えた期間が予め定められた時間内である場合、サージ電流が発生したと判定し、信号線にサージ電流が発生したことを検知する。ＧＵＩ部１００５は、検知部１００２が、信号線にサージ電流が発生したことを検知すると、測定値の欄の背景を、予め定められた色に変更してもよい。なお、検知部１００２は、電流値の経時的な変化のパターンとサージ電流のパターンとのパターンマッチングにより、サージ電流の発生を検知してもよい。
【００６２】
上述した実施形態においては、ＡＤ変換ポートに接続する信号線１１ａ、信号線１１ｃ、信号線１１ｄを順次切り替えて複数の信号線１１ａ、信号線１１ｃ、信号線１１ｄのそれぞれの電流値を測定しているが、信号線１１ａ、信号線１１ｃ、信号線１１ｄの電流値を測定する構成は、実施形態の構成に限定されるものではない。例えば、制御部１０１が信号線１１ａ、信号線１１ｃ、信号線１１ｄの数と同じ数のＡＤ変換ポートを備えている場合、一のＡＤ変換ポートに一の信号線を接続し、複数の信号線の電流値を並行して測定してもよい。
【００６３】
上述した実施形態においては、トンネル内に設置されている端末機器と防災受信盤１０とを接続する信号線について、流れる電流を防災受信盤１０で測定しているが、例えば、ビルなどの建築物に設置される火災受信機と熱や煙を感知する感知器や発信機とを接続する信号線に流れる電流について、火災受信機で測定してもよい。
上述した実施形態においては、電圧Ｖａを測定し、電圧Ｖａから算出した電流値Ｉを記憶部１０９に記録しているが、本発明においては、ＡＤ変換ポートで測定した電圧Ｖａを記憶部１０９に記録し、電流値Ｉの代わりに電圧Ｖａを利用して、信号線の絶縁劣化の判定、外部からのノイズの検知、記録した測定結果のグラフ表示等を行う構成としてもよい。
【符号の説明】
【００６４】
１…防災システム、２ａ、２ｂ…トンネル、３…通信ネットワーク、５…区画、１０…防災受信盤、１１ａ、１１ｂ、１１ｃ、１１ｄ…信号線、２１…ポンプ制御盤、３０…遠隔制御設備、３１…温度検知器、３２…火災検知器、３３…消火栓装置、３４…手動通報装置、１０１…制御部、１０２…伝送部、１０３…通信部、１０４…ＧＯＴ、１０５…操作部、１０６…警報部、１０７…ポンプ制御部、１０８…表示部、１０９…記憶部、２００…入出力ユニット、２０１ａ、２０１ｃ、２０１ｄ…信号受信部、２０２ａ、２０２ｃ、２０２ｄ…測定回路、２１０…選択部、１００１…電流測定部、１００２…検知部、１００４…監視部、１００５…ＧＵＩ部。
【図１】
2020052963.tif 000003
【図２】
2020052963.tif 000004
【図３】
2020052963.tif 000005
【図４】
2020052963.tif 000006
【図５】
2020052963.tif 000007